(57)【要約】      （修正有）【課題】従来からの設備やノウハウにより効率よく製作できる背負いベルトを、脇腹へのフィット性を高くし窮屈さや痛みを感じさせることのないように取り付けた背負い鞄を提供する。【解決手段】背負いベルトの上部基端を背負い鞄本体の背当て面上部に取り付け、その下部基端を上記背負い鞄本体の左右側面下部に取り付けた背負い鞄。【選択図】図１
0003108368.tif 000002
【実用新案登録請求の範囲】
【請求項１】
背負いベルトの上部基端を背負い鞄本体の背当て面上部に取り付け、その下部基端を上記背負い鞄本体の左右側面下部に取り付けたことを特徴とする背負い鞄。
【請求項２】
背負いベルトが、上部基端を背負い鞄本体である筐体の背当て面上部に配設した背環に取り付けた大紐と、下部基端を上記筐体の左右側面の大襠部の下部に取り付けた小紐とを、その各遊端同士を取外し可能かつ長短調整可能にして接続してなることを特徴とする背負い鞄。
【請求項３】
上記小紐の下部基端に取り付けた取付け金具を、上記筐体の左右側面の上記大襠部の下部に取り付けた取付け金具受けに回転自在に嵌合させていることを特徴とする請求項２記載の背負い鞄。
【請求項４】
上記取付け金具受けが、上記大襠部の下部の、芯材と表材と補強板とが重合されている箇所の外面に取り付けられ、上記小紐が、上記取付け金具受けとこれに嵌合させた上記取付け金具と上記大襠部とにリベットを貫通させその先端を潰すことにより上記大襠部に取り付けられていることを特徴とする請求項３記載の背負い鞄。
【請求項５】
上記筐体の下面に、蓋係止金具を重合させて止着できるようにした小型の蓋掛け止め装置を取り付けていることを特徴とする請求項２，３または４記載の背負い鞄。
【請求項６】
上記筐体の下面に、上記蓋掛け止め装置および上記蓋係止金具の合計厚みよりも高い脚を有することを特徴とする請求項５記載の背負い鞄。
【請求項７】
背負いベルトの上部基端を背負い鞄本体である袋体の背当て面の上端に取り付けるとともに、その下部基端を上記袋体の左右側面下部に取外し可能かつ長短調整可能にして取り付けたことを特徴とする背負い鞄。
【考案の詳細な説明】
【技術分野】
【０００１】
本考案は、ランドセルやリュックサック等の背負い鞄に関する。
【背景技術】
【０００２】
図１０，１１に、従来のランドセル等の背負い鞄を示す。
同図中、１，１は、上部基端を筐体２の背当て面上部の背環３に取り付けた大紐、４，４は、下部基端を上記筐体２の下面の台座５に取り付けた小紐である。これら大紐１，１と小紐４，４の各遊端同士は、上記小紐４，４に取り付けられている尾錠６によって取外し可能かつ長短調整可能にして接続され背負いベルトをなしているものである。
また、上記台座５は、上記小紐４，４を取り付ける左右両端の小紐取付け装置５ａ，５ａと、それらの間に配設され蓋係止金具５ｂを止着する蓋掛け止め装置５ｃとを一体にしているものである（たとえば、特許文献１）。
【０００３】
上記小紐４，４は、使用状態においては筐体２の下側から前方にその遊端を延出させその内面を上に向けた状態になるので、この背負い鞄を背負う者の脇腹に対しては、面で当接せずその内側縁部７，７を食い込ませる状態となり、窮屈であったり痛みを感じさせることがあるなど脇腹のフィット感が不十分で、また、左右方向への振れを十分に抑えることができないという問題があった。
【０００４】
また、近年背負い鞄の軽量化を図るために、上記台座５を小さくして、小紐４，４の下部基端の取り付け間隔を過剰に狭くしているものがあるが、これも脇腹のフィット感を悪化させる一因となっていた。
【０００５】
そこで、実際の使用に際しては、脇腹の窮屈さや痛みを軽減するために、背負いベルトを敢えて長めに調節することが行われていたが、このようにすることで背負い鞄が浮き上がりやすくなり、肩や背中のフィット感が損なわれてしまうこととなっていた。
【０００６】
また、上記大紐１，１の上部基端を、いわゆる移動背環によって左右に移動自在にして取り付けて肩のフィット感を改善したものもあるが、この移動背環によっても小紐４，４の脇腹のフィット感は改善されておらず、むしろ、背負い鞄が左右の振れやすくなるため、かえって脇腹のフィット感を悪化させる原因にもなりかねなかった。
【０００７】
これらの問題を解決するため、本考案者らは既に、特願2003-279294において、小紐の内側縁部を食い込ませることなくその内面を脇腹へ当接させることのできる「く」の字状に湾曲した小紐を提案し、これによって、脇腹のフィット感を大幅に改善することができた。
【特許文献１】登録実用新案第3085443号公報（図１）
【考案の開示】
【考案が解決しようとする課題】
【０００８】
しかしながら、このような従来にない新たな形状の小紐の製作にあたっては、使用者の体型に合わせて新たな型を起こす必要があるとともに、その製作者にも一定の習熟が求められるところ、現状では、製作のための体制が十分に整っておらず、製作効率が悪くなってしまうおそれがある。
【０００９】
そこで、本考案は、従来からの設備やノウハウにより効率よく製作できる背負いベルトを、脇腹へのフィット性を高くし窮屈さや痛みを感じさせることのないように取り付けた背負い鞄を提供することを目的とする。
【課題を解決するための手段】
【００１０】
請求項１記載の本考案背負い鞄は、背負いベルトａ，ａ、ｆ，ｆの上部基端を背負い鞄本体ｄ，ｇの背当て面上部に取り付け、その下部基端を上記背負い鞄本体ｄ，ｇの左右側面下部に取り付けたものである。
【００１１】
請求項２記載の本考案背負い鞄は、背負いベルトａ，ａが、上部基端を背負い鞄本体である筐体ｄの背当て面上部に配設した背環１１に取り付けた大紐ｂ，ｂと、下部基端を上記筐体ｄの左右側面の大襠部１６，１６の下部に取り付けた小紐ｃ，ｃ、ｅ，ｅとを、その各遊端同士を取外し可能かつ長短調整可能にして接続してなるものである。
【００１２】
請求項３記載の本考案は、上記小紐ｃ，ｃ、ｅ，ｅの下部基端に取り付けた取付け金具１２，１２、３２，３２を、上記筐体ｄの左右側面の上記大襠部１６，１６の下部に取り付けた取付け金具受け２２，２２に回転自在に嵌合させている請求項２記載の背負い鞄である。
【００１３】
請求項４記載の本考案は、上記取付け金具受け２２が、上記大襠部１６の下部の、芯材１８と表材１９と補強板２１とが重合されている箇所の外面に取り付けられ、上記小紐ｃ，ｅが、上記取付け金具受け２２とこれに嵌合させた上記取付け金具１２，３２と上記大襠部１６とにリベット２４を貫通させその先端を潰すことにより上記大襠部１６，１６に取り付けられている請求項３記載の背負い鞄である。
【００１４】
請求項５記載の本考案は、上記筐体ｄの下面に、蓋係止金具２７を重合させて止着できるようにした小型の蓋掛け止め装置２５を取り付けている請求項２，３または４記載の背負い鞄である。
【００１５】
請求項６記載の本考案は、上記筐体ｄの下面に、上記蓋掛け止め装置２５および上記蓋係止金具２７の合計厚みよりも高い脚２８……を有する請求項５記載の背負い鞄である。
【００１６】
請求項７記載の本考案背負い鞄は、背負いベルトｆ，ｆの上部基端を背負い鞄本体である袋体ｇの背当て面の上端に取り付けるとともに、その下部基端を上記袋体ｇの左右側面下部に取外し可能かつ長短調整可能にして取り付けたものである。
【考案の効果】
【００１７】
請求項１記載の本考案によれば、背負いベルトの上部基端を背負い鞄本体の背当て面上部に取り付け、その下部基端を上記背負い鞄本体の左右側面下部に取り付けているので、背負いベルトが脇腹に対して内側縁部を食い込ませることなくその裏面を当接させ、脇腹を包み込む状態になるため、窮屈さや痛みを感じさせることがなく、従来に比べフィット感が高いとともに、背負い鞄本体の左右方向への振れを十分に抑えることができる。
【００１８】
請求項２または３記載の本考案によれば、背負いベルトが、上部基端を背負い鞄本体である筐体の背当て面上部に配設した背環に取り付けた大紐と、下部基端を上記筐体の左右側面の大襠部の下部に取り付けた小紐とを、その各遊端同士を取外し可能かつ長短調整可能にして接続してなるので、背負いベルトが脇腹に対して内側縁部を食い込ませることなくその裏面を当接させ、脇腹を包み込む状態になるため、窮屈さや痛みを感じさせることがなく、従来に比べフィット感が高いとともに、背負い鞄本体の左右方向への振れを十分に抑えることができる。また、小紐が、従来の設備やノウハウにより簡単に効率よく製作できる。
【００１９】
請求項４記載の本考案によれば、小紐は、補強板を貫通させたリベットによって大襠部に取り付けられているので、その接続部分は、大きな荷重がかかっても壊れることがない。
【００２０】
請求項５記載の本考案によれば、上記筐体の下面に、蓋係止金具を重合させて止着できるようにした、従来の台座に比べて小型の蓋掛け止め装置２５り付けているから、背負い鞄全体の軽量化および材料の削減を図ることができる。
【００２１】
請求項６記載の本考案によれば、上記筐体の下面に、上記蓋掛け止め装置および上記蓋係止金具の合計厚みよりも高い脚を有するので、背負い鞄を、所望の場所に起立させて、しかも、上記蓋係止金具等を損傷することなく安定的に載置させることができる。
【００２２】
請求項７記載の本考案によれば、背負いベルトの上部基端を、背負い鞄本体である袋体の背当て面の上端に取り付けるとともに、その下部基端を、上記袋体の左右側面下部に取外し可能かつ長短調整可能にして取り付けているので、背負いベルトが脇腹に対して内側縁部を食い込ませることなくその裏面を当接させ、脇腹を包み込む状態になるため、窮屈さや痛みを感じさせることがなく、従来に比べフィット感が高いとともに、背負い鞄本体の左右方向への振れを十分に抑えることができる。
【考案を実施するための最良の形態】
【００２３】
背負いベルトａ，ａ、ｆ，ｆの上部基端を背負い鞄本体ｄ，ｇの背当て面上部に取り付け、その下部基端を上記背負い鞄本体ｄ，ｇの左右側面下部に取り付けた背負い鞄。
【実施例１】
【００２４】
以下、本考案をランドセルに適用した実施例１について図面を参照しながら詳しく説明する。
【００２５】
ａ，ａは、大紐ｂ，ｂと小紐ｃ，ｃとを、尾錠８，８により取外し可能かつ長短調整可能にして接続した背負いベルトである。
【００２６】
上記大紐ｂ，ｂは、従来公知のもので、連結環９ａとダルマ環９ｂとからなる取付け金具９を介して、その上部基端（すなわち背負いベルトａ，ａの上部基端）を、背負い鞄本体たるランドセルの筐体ｄの背当て板１０の背当て面上部に配設した背環１１に回転自在に取り付けている。
なお、その大紐ａ，ａの上部基端は、いわゆる移動背環によってそれぞれ左右移動自在にして筐体ｄに取り付けてもよい。
【００２７】
上記小紐ｃ，ｃは、従来の小紐と比べるとやや長さの短い直線帯状のもので、それは皮革（天然皮革および合成皮革を含む。以下同じ。）製の主革材ｃ’と、該主革材ｃ’の基端を折り返してそこに取り付けた、連結環１２ａとダルマ環１２ｂとからなる取付け金具１２と、同主革材ｃ’の遊端を折り返してそこに取り付けた上記尾錠８と、同主革材ｃ’に巻回した大紐保持環１３と、上記主革材ｃ’の裏面側に重合添設した皮革製の副革材ｃ”とからなる（図５〜７）。
１４……は上記基端と遊端の折返し部分を固定し、また副革材ｃ”を固定しているビスである（図５，６）。
【００２８】
上記筐体ｄの底面をなす底板部１５および左右側面をなす大襠部１６，１６は、横長方形の板材１７の長手方向両側部を立ち上げて「コ」字状にして形成されているもので（図２〜４）、その板材１７は、合成樹脂を含浸させて圧縮したボール紙等を裁断した横長方形の芯材１８の外面に皮革製の表材１９を重合接着し、上記芯材１８の内面に内張り２０を重合接着し、さらに、その内張り２０の、底板部１５の全面と大襠部１６，１６の下部とにあたる位置の内面に補強板２１を重合接着してなる（図３）。
【００２９】
２２，２２は、上記大襠部１６，１６の下部の、上記補強板２１が重合している箇所の外面に取り付けられた一対の取付け金具受けである（一方のみを図示した）。
【００３０】
上記各小紐ｃの下部基端（各背負いベルトａの下部基端）は、上記取付け金具受け２２に、上記ダルマ環１２ｂを嵌合させるとともに、該ダルマ環１２ｂと、上記取付け金具受け２２と、上記板材１７と、該板材１７に筐体ｄの内面側から重合したワッシャ２３とに、リベット２４を貫通させ、その先端を潰すことにより回転自在にして取り付けられている（図３）。
【００３１】
このように、上記小紐ｃ，ｃの下部基端は、筐体ｄの大襠部１６，１６の下部に取り付けられているから、上記背負いベルトａ，ａに両腕を通してランドセルを背負うと、該小紐ｃ，ｃは前方ないし斜め上向き前方に引かれてその下部遊端側の所要長さを筐体ｄの背当て板１０より前方に位置させるとともに、やや捩れてその裏面（脇腹に当接する上記副革材ｃ”側の面）を内側斜め上方に向けた状態になる（図１，２）。
【００３２】
これによって、小紐ｃ，ｃは脇腹に対して内側縁部を食い込ませることなくその裏面を当接させ、脇腹を包み込む状態になるため、窮屈さや痛みを感じさせることがなく、従来に比べフィット感が高い。また、面で脇腹に当接するから筐体ｄの左右方向への振れを十分に抑えることができ、特に、大紐ｂ，ｂの上部基端を移動背環で筐体ｄに取り付けた場合であっても、この小紐ｃ，ｃがランドセルの左右の振れを十分に抑えるため、脇腹のフィット感がよい。
【００３３】
さらに、小紐ｃ，ｃの下部基端を、筐体ｄの左右の大襠部１６，１６の下部に取り付けるようにしたことにより、従来のように筐体下面に取り付けていた場合に比べその取付け間隔が格段に広くなっており、従来小紐の下部基端の取り付け間隔を狭くしていたために生じていた脇腹のフィット感の悪さがない。
【００３４】
したがってまた、脇腹の窮屈さや痛みの軽減のために背負いベルトａ，ａを敢えて長めに調節する必要がないので、従来のように、長めに調節することにより、ランドセルが浮き上がりやすくなって、肩や背中のフィット感までも損なってしまうというようなこともない。
【００３５】
しかも、この小紐ｃ，ｃは、従来の小紐とほぼ同形の直線帯状をなすものであるから、従来の設備やノウハウにより簡単に効率よく製作できるとともに、筐体の下面に取り付けるようにしていた従来の小紐よりも、長さを短縮できるので、ランドセルの軽量化、材料の削減を図ることができる。
【００３６】
なお、上記では、小紐ｃ，ｃは直線帯状のものとしたが、湾曲した形状の小紐であっても、その基端を筐体ｄの左右の大襠部１６，１６の下部に取り付けることにより、脇腹のフィット感を改善できること明らかである。
【００３７】
２５は、上記筐体ｄの下面に取り付けられた小型の蓋掛け止め装置で、これは、蓋２６を閉じて該蓋２６の先端の蓋係止金具２７を重合させるとともに、この重合させた蓋係止金具２７を、内蔵するマグネットおよび／または係止ツマミ等によって止着できるようにしたものである（図１）。
これは、従来の、小紐取付け装置５ａ，５ａと蓋掛け止め装置５ｃを一体にしていた台座５の、上記小紐取付け装置５ａ，５ａの部分を省略して簡略化したものに相当する。
したがって、この蓋掛け止め装置２５は、従来の台座５に比べて小型で軽量のもので、ランドセル全体としての軽量化、および材料の削減に資する。
【００３８】
２８……は、同じく筐体ｄの下面の四隅に取り付けられた脚である（図１，２）。
従来のランドセルは、所要の場所に起立させた状態にすると、筐体２下面の上記台座５に取り付けた小紐４，４の基端のダルマ環が接地してしまうため、その起立状態は不安定であるとともに、上記ダルマ環が損傷してしまうことがあったが、本実施例に係るランドセルにおいては、脚２８……の高さを、上記蓋掛け止め装置２５およびこの下面に重合させた蓋係止金具２７の合計厚みよりも大きくしてあるので、本実施例のランドセルは、この脚２８……によって、所望の場所に起立状態にして、安定的に載置しておくことができ、しかも、上記蓋掛け止め装置２５等を損傷するおそれもない。
また、小紐ｃ，ｃの基端のダルマ環１２ｂ等は、従来と異なり、筐体ｄの側面に取り付けられているので、当然、損傷のおそれはない。
【００３９】
図８に示したｅは、変形例に係る小紐である。
これは、合成樹脂を含浸させて圧縮したボール紙等を裁断してなる芯材２９と、これを裏面側から被覆する皮革製の柔軟なカバーシート３０と、上記芯材２９の表面側に重合した皮革製の表地３１とからなる直線帯状の小紐本体ｅ’と、該小紐本体ｅ’の基端を折り返してそこに取り付けた取付け金具３２と、同小紐本体ｅ’の遊端を折り返してそこに取り付けた尾錠３３と、同小紐本体ｅ’に巻回した大紐保持環３４と、同小紐本体ｅ’および上記尾錠３３の裏面側に重合してビス３５……で固定された皮革製の保護カバー３６とからなるもので、上記小紐ｃに代えてこれを大紐ｂと接続することによって背負いベルトを構成することもできる。
【実施例２】
【００４０】
次に、本考案をリュックサックに適用した実施例２について説明する。
【００４１】
図９に示したリュックサックの背負いベルトｆ，ｆは、大紐ｂ，ｂと小紐ｃ，ｃとからなる実施例１の背負いベルトａ，ａとは異なり、その全長を一体に形成した帯状のものである。
この背負いベルトｆ，ｆの上部基端は、背負い鞄の本体である袋体ｇの背当て面の上端に取り付けられ、また、その下部基端は、上記袋体ｇの左右側面下部に取り付けられている。なお、この背負いベルトｆ、ｆの下部基端は尾錠等により、取外し可能かつ長短調整可能にして上記袋体ｇの左右側面下部に取り付けられるようにしておくのが好ましい。
【００４２】
したがって、上記背負いベルトｆ，ｆに両腕を通してリュックサックを背負うと、その背負いベルトｆ，ｆの下半部は、実施例１の背負いベルトａ，ａの小紐ｃ，ｃと同様に、前方ないし斜め上側前方に引かれて、やや捩れてその裏面（脇腹に当接する面）を内側やや上方に向けた状態になる。
これによって、背負いベルトｆ，ｆの下半部は、脇腹に対して内側縁部を食い込ませることなくその裏面を当接させ、脇腹を包み込む状態になるため、窮屈さや痛みを感じさせることがなく、従来に比べフィット感が高い。
【図面の簡単な説明】
【００４３】
【図１】本考案の実施例１に係るランドセルを示した側面図である。
【図２】同上の正面図である。
【図３】同上の小紐の取付部分の拡大断面図である。
【図４】その分解斜視図である。
【図５】上記小紐の平面図である。
【図６】その底面図である。
【図７】その側面図である。
【図８】変形例に係る小紐の縦断面図である。
【図９】本考案の実施例２に係るリュックサックを示した斜視図である。
【図１０】従来のランドセルの、背当て板側からみた斜視図である。
【図１１】同上の、底板側からみた斜視図である。
【符号の説明】
【００４４】
ａ，ｆ    背負いベルト
ｂ        大紐
ｃ，ｅ    小紐
ｃ’      主革材
ｃ”      副革材
ｄ        筐体
ｅ’      小紐本体
ｇ        袋体
１        大紐
２        筐体
３        背環
４        小紐
５        台座
５ａ      小紐取付け装置
５ｂ      蓋係止金具
５ｃ      蓋掛け止め装置
６        尾錠
７        内側縁部
８，３３  尾錠
９        取付け金具
９ａ      連結環
９ｂ      ダルマ環
１０      背当て板
１１      背環
１２，３２  取付け金具
１２ａ    連結環
１２ｂ    ダルマ環
１３，３４  大紐保持環
１４，３５  ビス
１５      底板部
１６      大襠部
１７      板材
１８      芯材
１９      表材
２０      内張り
２１      補強板
２２      取付け金具受け
２３      ワッシャ
２４      リベット
２９      芯材
３０      カバーシート
３１      表地
３６      保護カバー
【図１】
0003108368.tif 000003
【図２】
0003108368.tif 000004
【図３】
0003108368.tif 000005
【図４】
0003108368.tif 000006
【図５】
0003108368.tif 000007
【図６】
0003108368.tif 000008
【図７】
0003108368.tif 000009
【図８】
0003108368.tif 000010
【図９】
0003108368.tif 000011
【図１０】
0003108368.tif 000012
【図１１】
0003108368.tif 000013